(57)【特許請求の範囲】
【請求項１】
通信データの送受信を行う通信部と、
視差がそれぞれ異なる複数の動画像を撮像して複数の動画像データを出力する複数の撮像部と、
音声を取得して音声データを出力する音声入力部と、
前記複数の動画像データと前記音声データとを前記通信部を介して送信し、前記通信データの受信品質が基準値以下になると、前記複数の撮像部の少なくとも一つを停止させて、前記複数の動画像データの少なくとも一つの送信を停止する制御部と、を有するテレビ電話装置。
【請求項２】
前記制御部は、前記受信品質が前記基準値以下の場合、前記複数の撮像部のうち１つ以外を停止させて、前記複数の動画像データのうち１つ以外の動画像データの送信を停止する、請求項１記載のテレビ電話装置
【請求項３】
前記制御部は、前記受信品質が前記基準値以下、かつ、前記基準値より小さい第２基準値超の場合、前記複数の撮像部のうち１つ以外を停止させて、前記複数の動画像データのうち１つ以外の動画像データの送信を停止し、前記受信品質が前記第２基準値以下の場合、前記複数の撮像部の全てを停止させて、前記複数の動画像データの全ての送信を停止する、請求項２に記載のテレビ電話装置。
【請求項４】
前記制御部は、前記受信品質が前記基準値以下の場合、前記複数の撮像部の全てを停止させて、前記複数の動画像データの全ての送信を停止する、請求項１に記載のテレビ電話装置。
【請求項５】
記録部をさらに有し、
前記制御部は、前記受信品質が前記基準値以下の場合、停止前の各撮像部から出力された各動画像データのそれぞれから静止画像データを抽出して前記記録部に記録し、当該記録された各静止画像データを繰り返し前記通信部を介して送信する、請求項４に記載のテレビ電話装置。
【請求項６】
前記撮像部は、視差がそれぞれ異なる複数の静止画像を撮像して複数の第２静止画像データとして出力する静止画像モードを有し、
前記制御部は、前記受信品質が前記基準値以下の場合、前記撮像部を定期的に前記静止画像モードで起動し、当該起動時に出力された各第２静止画像データに応じて、前記記録部内の各静止画像データを更新する、請求項５に記載のテレビ電話装置。
【請求項７】
通信データの送受信を行う通信部と、視差がそれぞれ異なる複数の動画像を撮像して複数の動画像データを出力する複数の撮像部と、音声を取得して音声データを出力する音声入力部と、を有するテレビ電話装置の制御方法であって、
前記複数の動画像データと前記音声データとを前記通信部を介して送信し、
前記通信データの受信品質が基準値以下になると、前記複数の撮像部の少なくとも一つを停止させて、前記複数の動画像データの少なくとも一つの送信を停止する、制御方法。
【発明の詳細な説明】
【技術分野】
【０００１】
本発明は、音声データおよび映像データをリアルタイムに伝送させることによって、通話相手の映像を見ながら通話を行うことができるテレビ電話装置およびその制御方法に関する。
【背景技術】
【０００２】
一般的なテレビ電話装置では、音声通話のみを行う従来の音声電話装置と比べて、通話時の伝送量が多いため、高速なデータ伝送速度が必要となる。また、電波状態などによって十分なデータ伝送速度が得られない場合には、テレビ電話装置の表示画像が乱れたり、通話が切断するなどの問題が発生する。
【０００３】
これに対して、特許文献１および２では、データ伝送速度が所定値より低くなると、映像データの送受信を停止して、音声データによる音声通話のみを行う技術が開示されている。
【０００４】
また、近年、３次元立体映像（以下、３Ｄ映像と呼ぶ）を撮像する３Ｄカメラや、３次Ｄ映像を表示する３Ｄディスプレイなどの３Ｄ映像技術が注目されている。
【０００５】
３Ｄディスプレイは、視差がそれぞれ異なる複数の映像を順番に表示したり、視差がそれぞれ異なる複数の映像を表示角度を変えて同時に表示したりして、視聴者に３次元立体映像を視認させる。また、３Ｄカメラは、複数の撮像手段を備え、各撮像手段を用いて視差がそれぞれ異なる複数の映像を３Ｄ映像として撮像する。
【０００６】
３Ｄ映像技術をテレビ電話装置に適用した技術としては、特許文献３に記載のカメラ付携帯情報端末がある。このカメラ付携帯情報端末では、３Ｄカメラで撮像した３Ｄ映像を示す３Ｄ映像データを音声データと共にリアルタイムに送信することで、通話相手と３Ｄ映像を見ながら通話を行うことを可能にしている。
【先行技術文献】
【特許文献】
【０００７】
【特許文献１】特開２００１−２７４７４２号公報
【特許文献２】特開２００４−３２８０４号公報
【特許文献３】特開２０１０−１４１４４７号公報
【発明の概要】
【発明が解決しようとする課題】
【０００８】
特許文献１に記載のカメラ付携帯情報端末のような、３Ｄ映像データを送信する３Ｄテレビ電話装置では、複数の撮像手段を同時に動作させたり、複数の映像信号に対して映像処理を施したり、表示画像のフレーム速度を上げたりする必要がある。
【０００９】
このため、３Ｄテレビ電話装置では、２次元平面映像（以下、２Ｄ映像と呼ぶ）を送信する従来の２Ｄテレビ電話装置と比べて、カメラ、ディスプレイおよびＣＰＵ（Central Processing Unit）などの内部機器の動作量が多くなるので、内部機器で発生するノイズが増加する。
【００１０】
通話時の伝送速度はノイズの影響を受けるため、内部機器で発生するノイズが大きくなると、特に電波状態が悪い環境において、データ伝送速度が十分に得られず、通話が切断しやすくなるという問題が発生する。
【００１１】
特許文献１〜３に記載の技術では、３Ｄテレビ電話装置によるノイズの増加については考慮されておらず、上記の問題を解決することができない。
【００１２】
本発明の目的は、通信が切断されやすいという問題を解決することが可能なテレビ電話装置およびその制御方法を提供することである。
【課題を解決するための手段】
【００１３】
本発明によるテレビ電話装置は、通信データの送受信を行う通信部と、視差がそれぞれ異なる複数の動画像を撮像して複数の動画像データを出力する複数の撮像部と、音声を取得して音声データを出力する音声入力部と、前記複数の動画像データと前記音声データとを前記通信部を介して送信し、前記通信データの受信品質が前記基準値以下になると、前記複数の撮像部の少なくとも一つを停止させて、前記複数の動画像データの少なくとも一つの送信を停止する制御部と、を有する。
【００１４】
本発明による制御方法は、通信データの送受信を行う通信部と、視差がそれぞれ異なる複数の動画像を撮像して複数の動画像データを出力する複数の撮像部と、音声を取得して音声データを出力する音声入力部と、を有するテレビ電話装置の制御方法であって、前記複数の動画像データと前記音声データとを前記通信部を介して送信し、前記通信データの受信品質が前記基準値以下になると、前記複数の撮像部の少なくとも一つを停止させて、前記複数の動画像データの少なくとも一つの送信を停止する。
【発明の効果】
【００１５】
本発明によれば、通信を切断されにくくすることが可能になる。
【図面の簡単な説明】
【００１６】
【図１】本発明の第１の実施形態である携帯電話端末の構成を示すブロック図である。
【図２】携帯電話端末の動作の一例を説明するためのフローチャートである。
【図３】携帯電話端末の通話方式の遷移の一例を説明するためのタイムチャートである。
【図４】携帯電話端末の通話方式の遷移の他の例を説明するための図である。
【図５】携帯電話端末の通話方式の遷移の他の例を説明するためのタイムチャートである。
【図６】本発明の第３の実施形態である携帯電話端末の構成を示すブロック図である。
【図７】携帯電話端末の通話方式の遷移の他の例を説明するためのタイムチャートである。
【図８】携帯電話端末の通話方式の遷移の他の例を説明するためのタイムチャートである。
【発明を実施するための形態】
【００１７】
以下、本発明の実施形態について図面を参照して説明する。なお、以下の説明では、同じ機能を有するものには同じ符号を付け、その説明を省略する場合がある。
【００１８】
図１は、本発明の第１の実施形態である携帯電話端末１０１の構成を示すブロック図である。携帯電話端末１０１は、３Ｄテレビ電話機能付きの携帯端末であり、アンテナ２００と、無線回路２０１と、音声入出力部２０２と、表示部２０３と、カメラ２０４および２０５と、ＣＰＵ２０６とを有する。
【００１９】
アンテナ２００は、不図示の無線基地局と電波の送受信を行う。
【００２０】
無線回路２０１は、アンテナ２００を介して通信データの送受信を無線で行う通信部である。より具体的には、無線回路２０１は、アンテナ２００を介して受信した通信データである受信データを復調してＣＰＵ２０６に出力する機能や、ＣＰＵ２０６からの通信データである送信データを変調してアンテナ２００を介して送信する機能などを有する。
【００２１】
通信データは、少なくとも音声データを含むものとする。また、通信データは、映像データを含んでもよい。映像データとしては、３Ｄ映像を示す３Ｄ映像データと、２Ｄ平面映像を示す２Ｄ映像データとがある。３Ｄ映像データは、視差がそれぞれ異なる複数の動画像を示す複数の動画像データからなり、２Ｄ映像データは、単一の動画像データからなる。
【００２２】
音声入出力部２０２は、音声を取得して音声データとしてＣＰＵ２０６に出力する音声入力部としての機能と、ＣＰＵ２０６からの音声データを音声として出力する音声出力部としての機能とを有する。
【００２３】
表示部２０３は、例えば、ＬＣＤ（Liquid Crystal Display：液晶ディスプレイ）であり、種々の情報を表示する。
【００２４】
カメラ２０４および２０５のそれぞれは、視差が互いに異なる動画像を撮像して動画像データをＣＰＵ２０６に出力する撮像部である。なお、カメラの数は、図１では、２つだけだが、実際には、複数あればよい。
【００２５】
ＣＰＵ２０６は、コンピュータにて読み取り可能な不図示の記録媒体からプログラムを読み取り、その読み取ったプログラムを実行して以下の機能を実現する制御部である。
【００２６】
ＣＰＵ２０６は、無線回路２０１から受信データを受け付けると、受信データに含まれる音声データを音声入出力部２０２に出力して、音声データが示す音声を音声入出力部２０２から出力する。そして、ＣＰＵ２０６は、その受信データに含まれる映像データを表示部２０３に出力して、映像データが示す映像を表示部２０３に表示する。
【００２７】
ここで、ＣＰＵ２０６は、映像データが３Ｄ映像データの場合、３Ｄ映像を表示し、映像データが２Ｄ映像データの場合、２Ｄ映像を表示することになる。３Ｄ映像を表示する表示方式としては、３Ｄ映像データ内の複数の動画像データを順番に表示し、液晶シャッター眼鏡などの３Ｄ像用の眼鏡をユーザが装着して３Ｄ立体映像を視認する眼鏡式でもよいし、それ以外の表示方式でもよい。
【００２８】
また、ＣＰＵ２０６は、無線回路２０１から受け付けた受信データの受信品質を測定し、その受信品質が予め定められた基準値以下か否かを判断する。以下、受信品質としては、受信レベルを用いるものとする。なお、受信レベルとは、ＲＳＣＰ（Received Signal Code Power：希望波受信電力）またはＲＳＳＩ（Received Signal Strength Indicator：受信信号強度）のことである。また、受信品質は、受信レベルに限らず、ＣＮ比（Carrier to Noise ratio：搬送波対雑音比)やＭＥＲ(Modulation Error Ratio：変調誤差比)などでもよい。
【００２９】
受信レベルが基準値超の場合、ＣＰＵ２０６は、音声入出力部２０２、カメラ２０４および２０５を動作させて、音声入出力部２０２から音声データを受け付け、カメラ２０４および２０５から２つ動画像データからなる３Ｄ映像データを受け付ける。そして、ＣＰＵ２０６は、音声データおよび３Ｄ映像データを有する通信データを、無線回路２０１およびアンテナ２００を介して通話相手の電話装置に送信する。この場合、３Ｄ映像を見ながら通話を行う３Ｄテレビ電話方式の通話が行われることになる。
【００３０】
一方、受信レベルが基準値以下の場合、ＣＰＵ２０６は、カメラ２０４および２０５の少なくとも一つを停止させて、２つの動画像データの少なくとも一方の送信を停止する。
【００３１】
本実施形態では、受信レベルが基準値以下の場合、ＣＰＵ２０６は、カメラ２０４および２０５の一方の動作を停止して、２つの動画像データの一方の送信を停止するものとする。この場合、音声データと、単一の動画像データである２Ｄ映像データとが通話相手の電話装置に送信されることになるので、２Ｄ映像を見ながら通話を行う２Ｄテレビ電話方式の通話が行われることとなる。
【００３２】
なお、ＣＰＵ２０６は、音声データおよび動画像データを送信する前に、解像度変換などの画像処理を動画像データに施してもよい。
【００３３】
次に携帯電話端末１０１の動作を説明する。
【００３４】
図２は、携帯電話端末１０１の動作の一例を説明するためのフローチャートである。
【００３５】
先ず、ユーザが通話相手からの着呼に応答するか、または、ユーザの発呼に通話相手が応答すると、３Ｄテレビ電話方式の通話が開始される（ステップＳ０１）なお、３Ｄテレビ電話方式では、ＣＰＵ２０６は、音声入出力部２０２、カメラ２０４および２０５を動作させ、音声入出力部２０２から音声データを受け付け、カメラ２０４および２０５のそれぞれから動画像データを受け付ける。ＣＰＵ２０６は、その２つの動画像データからなる３Ｄ映像データと、その音声データとを有する通信データを作成して、無線回路２０１およびアンテナ２００を介して通話相手の電話端末に送信する。
【００３６】
続いて、ＣＰＵ２０６は、無線回路２０１から受け付けた受信データの受信レベルを測定し、その受信レベルが基準値以下か否かを判断する（ステップＳ０２）。
【００３７】
受信レベルが基準値超の場合、ＣＰＵ２０６は、３Ｄテレビ電話方式の通話を維持し（ステップＳ０３）、所定期間後にステップＳ０２の処理に戻る。
【００３８】
一方、受信レベルが基準値以下の場合、ＣＰＵ２０６は、通話方式を３Ｄテレビ電話方式から２Ｄテレビ電話方式に切り換える（ステップＳ０４）。より具体的には、ＣＰＵ２０６は、カメラ２０４および２０５の一方の動作を停止して、カメラ２０４または２０５から動画像データを一つのみ受け付ける。ＣＰＵ２０６は、その受け付けた動画像データである２Ｄ映像データと、その音声データとを有する通信データを作成して、無線回路２０１およびアンテナ２００を介して通話相手の電話端末に送信する。
【００３９】
なお、２Ｄテレビ電話方式に切り換えた後に、無線回路２０１が受信した受信データに複数の動画像データが含まれている場合、ＣＰＵ２０６は、複数の動画像データのうち一つのみを表示部２０３に出力して、２Ｄ平面画像の表示を行い、それ以外の動画像データを破棄してもよい。
【００４０】
通話方式を２Ｄテレビ電話方式に切り換えた後で所定期間が経過すると、ＣＰＵ２０６は、無線回路２０１から受け付けた受信データの受信レベルを測定し、その受信レベルが基準値以下か否かを判断する（ステップＳ０５）。
【００４１】
受信レベルが基準値以下の場合、ＣＰＵ２０６は、２Ｄテレビ電話方式の通話を維持し（ステップＳ０６）、所定期間後にステップＳ０５の処理に戻る。
【００４２】
一方、受信レベルが基準値超の場合、ＣＰＵ２０６は、ステップＳ０４で動作が停止されたカメラ２０４または２０５を起動して、通話方式を２Ｄテレビ電話方式から３Ｄテレビ電話方式に切り換え（ステップＳ０７）、所定期間後にステップＳ０２に戻る。
【００４３】
図３は、携帯電話端末１０１の通話方式の遷移の一例を説明するためのタイムチャートである。図３では、３Ｄテレビ電話方式の通話が行われ、時間経過とともに受信レベルが下がり、その後、受信レベルが上がっていくとする。
【００４４】
３Ｄテレビ電話方式の通話が行われ、受信レベルが基準値以下になった時刻ｔ１でＣＰＵ２０６は、通話方式を３Ｄテレビ電話方式から２Ｄテレビ電話方式に切り換える。その後、時間経過とともに受信レベルが上がっていき、受信レベルが基準値超になった時刻ｔ２で、ＣＰＵ２０６は、通話方式を２Ｄテレビ電話方式から３Ｄテレビ電話方式に切り換える。
【００４５】
以上説明したように本実施形態によれば、無線回路２０１は、通信データの送受信を行う。カメラ２０４および２０５は、視差がそれぞれ異なる２つ動画像を撮像して２つ動画像データを出力する。音声入出力部２０２は、音声を取得して音声データを出力する。ＣＰＵ２０６は、複数の動画像データおよび音声データを無線回路２０１を介して送信し、通信データの受信レベルが基準値以下になると、カメラ２０４および２０５の少なくとも一つを停止させて、複数の動画像データの少なくとも一つの送信を停止する。
【００４６】
この場合、受信レベルが基準値以下になると、カメラ２０４および２０５の少なくとも一つが停止されて、複数の動画像データの少なくとも一つの送信が停止される。このため、受信レベルが基準値以下の場合、動作しているカメラの数や、画像処理が施される動画像データの数が少なくなるので、カメラやＣＰＵ２０６などの内部装置の動作量を低減することが可能になる。したがって、内部装置で発生するノイズも低減されるので、通信を切断されにくくすることが可能になる。また、内部装置の動作量を低減することが可能になるので、消費電力を低減することが可能になる。
【００４７】
また、本実施形態では、ＣＰＵ２０６は、受信レベルが基準値以下の場合、カメラ２０４および２０５の一方の動作を停止して、カメラ２０４および２０５から出力された２つの動画像データの一方の送信を停止する。換言すれば、ＣＰＵ２０６は、カメラ２０４および２０５のうち一つを除いて停止させて、２つの動画像データのうちの一つを除いて、動画像データの送信を停止する。このため、受信レベルが基準値以下の場合、通話方式を３Ｄテレビ電話方式から２Ｄテレビ電話方式に切り替えることが可能になり、通信を切断されにくくすることが可能になる。
【００４８】
次に本発明の第２の実施形態について説明する。
【００４９】
第１の実施形態では、通話方式として、３Ｄテレビ電話方式と２Ｄテレビ電話方式とが用いられていたが、本実施形態では、通話方式として、３Ｄテレビ電話方式および２Ｄテレビ電話方式に加えて、音声通話方式をさらに用いる。
【００５０】
より具体的には、受信レベルが基準値（本実施形態では、第１基準値Ｐ１と呼ぶ）超の場合、ＣＰＵ２０６は、音声データと２つ動画像データとを有する通信データを、無線回路２０１およびアンテナ２００を介して送信する。この場合、３Ｄテレビ電話方式の通話が行われることとなる。
【００５１】
また、受信レベルが第１基準値Ｐ１以下かつ第２基準値Ｐ２超の場合、ＣＰＵ２０６は、カメラ２０４および２０５の一方の動作を停止して、２つの動画像データの一方の送信を停止する。この場合、２Ｄテレビ電話方式の通話が行われることとなる。なお、第２基準値Ｐ２は、第１基準値Ｐ１より小さい値である。
【００５２】
また、受信レベルが第２基準値Ｐ２未満の場合、ＣＰＵ２０６は、カメラ２０４および２０５の両方の動作を停止して、２つの動画像データの両方の送信を停止する。この場合、ＣＰＵ２０６は、音声データのみを通信データとして無線回路２０１およびアンテナ２００を介して送信することとなり、映像を見ずに通話を行う音声電話方式の通話が行われることになる。
【００５３】
図４は、３Ｄテレビ電話方式、２Ｄテレビ電話方式および音声通話方式を受信レベルに応じて切り換える場合における通話方式の遷移図である。本実施形態では、ＣＰＵ２０６は、所定期間ごとに、無線回路２０１が受信した受信データの受信レベルを、第１基準値および第２基準値のそれぞれと比較することで、通話方式の切り換えを行う。具体的には、受信レベルが第１基準値Ｐ１超の場合、通話方式は３Ｄテレビ方式となり、受信レベルが第１基準値Ｐ１以下第２基準値Ｐ２超の場合、通話方式は２Ｄテレビ方式となり、受信レベルが第２基準値Ｐ２以下の場合、通話方式は音声通話方式となる。
【００５４】
図５は、本実施形態における携帯電話端末１０１の通話方式の遷移の一例を説明するためのタイムチャートである。図５では、図３の場合と同様に、３Ｄテレビ電話方式の通話が行われ、時間経過とともに受信レベルが下がり、その後、受信レベルが上がっていくとする。
【００５５】
３Ｄテレビ電話方式の通話が行われ、受信レベルが基準値以下になった時刻ｔ１でＣＰＵ２０６は、通話方式を３Ｄテレビ電話方式から２Ｄテレビ電話方式に切り換える。その後、時間経過とともに受信レベルがさらに下がっていき、受信レベルが第２基準値Ｐ２以下になった時刻ｔ１’でＣＰＵ２０６は、通話方式を２Ｄテレビ電話方式から音声通話方式に切り換える。
【００５６】
その後、時間経過とともに受信レベルが上がっていき、受信レベルが第２基準値Ｐ２超になった時刻ｔ２’でＣＰＵ２０６は、通話方式を音声通話方式から２Ｄテレビ電話方式に切り換える。そして、時間経過とともに受信レベルがさらに上がっていき、受信レベルが第１基準値Ｐ１超になった時刻ｔ２でＣＰＵ２０６は、通話方式を２Ｄテレビ電話方式から３Ｄテレビ電話方式に切り換える。
【００５７】
以上説明したように本実施形態によれば、受信レベルに応じて細やかに通話方式を切り替えることが可能になるので、ユーザの利便性を考慮に入れつつ、通信をより切断されにくくすることが可能になる。
【００５８】
なお、図４および図５では、受信レベルが比較的ゆっくり変動した場合を示しているが、受信レベルが急激に変化し、所定期間内に、第１基準値Ｐ１超から第２基準値Ｐ２以下になったり、第２基準値Ｐ２以下から第１基準値Ｐ１超になった場合、ＣＰＵ２０６は、２Ｄテレビ電話方式への切り換えを行わずに、通話方式を３Ｄ電話方式と音声通話方式との間で切り換えても良い。この場合、受信レベルが急激に変化した場合でも、通信を切断されにくくすることが可能になる。
【００５９】
次に本発明の第３の実施形態について説明する。
【００６０】
本実施形態では、ＣＰＵ２０６は、受信レベルが基準値以下の場合、動画像データの送信を静止画像データの送信に切り替える。なお、本実施形態では、３Ｄテレビ電話方式を３Ｄ動画方式と呼ぶ。
【００６１】
図６は、本実施形態の携帯電話端末１０１の構成を示すブロック図である。図６において、携帯電話端末１０１は、図１で示した構成に加えて、メモリ２０７を有する。
【００６２】
メモリ２０７は、種々の情報を記録する記録部である。なお、メモリ２０７は、ＣＰＵ２０６の動作を規定するプログラムを記録する記録媒体として用いられてもよい。
【００６３】
無線回路２０１が受信した受信データの受信レベルが基準値以下の場合、ＣＰＵ２０６は、カメラ２０４および２０５の動作を２つとも停止し、停止前にカメラ２０４および２０５から出力された動画像データのそれぞれから静止画像データを抽出する。例えば、ＣＰＵ２０６は、動画像データ内の所定のフレームを静止画像データとして抽出する。所定のフレームとしては、動画像データ内の最後のフレームが望ましい。
【００６４】
ＣＰＵ２０６は、各動画像データから抽出した各静止画像データをメモリ２０７に記録する。
【００６５】
ＣＰＵ２０６は、音声データとともに、メモリ２０７に記録した静止画像データを、動画像データのフレームレートで繰り返し通信データとして無線回路２０１およびアンテナ２００を介して送信する。
【００６６】
図７は、携帯電話端末１０１の通話方式およびカメラ２０４および２０５の動作状態の遷移の一例を説明するためのタイムチャートである。図７では、図３と同様に、３Ｄ動画方式の通話が行われ、時間経過とともに受信レベルが下がり、その後、受信レベルが上がっていくとする。
【００６７】
３Ｄ動画方式の通話が行われ、受信レベルが基準値以下になった時刻ｔ１でＣＰＵ２０６は、カメラ２０４および２０５の動作を停止し、各動画像データから静止画像データを抽出してメモリ２０７に記録し、通話方式を、３Ｄ動画方式から、メモリ２０７内の静止画像データを送信する３Ｄ静止画方式に切り替える。その後、受信レベルが基準値以上になった時刻ｔ２でＣＰＵ２０６は、カメラ２０４および２０５を起動して、通話方式を３Ｄ静止画方式から３Ｄ動画方式に切り替える。
【００６８】
また、カメラ２０４および２０５は、視差が互いに異なる静止画像を撮像して静止画像データを出力する静止画像モードを有している場合、ＣＰＵ２０６は、図８で示すように受信レベルが基準値以下のときに、一定期間ごとにカメラ２０４および２０５を静止画像モードで起動して静止画像を撮像させてもよい。この場合、ＣＰＵ２０６は、その起動時にカメラ２０４および２０５から出力された静止画像データに応じて、メモリ２０７内の静止画像データを更新することで、通話相手に送信される静止画像データを更新する。このとき、ＣＰＵ２０６は、カメラ２０４および２０５から出力された静止画像データの画素数を動画像データの画素数に変換してもよい。
【００６９】
以上説明したように本実施形態によれば、受信レベルが基準値以下になると、電話装置の表示画像が３Ｄ動画像から３Ｄ静止画像に変わるだけなので、表示映像が３Ｄ映像から２Ｄ映像に変わったり、表示映像が消えるなどの違和感を解消することが可能になる。
【００７０】
また、本実施形態では、受信レベルが基準値以下の場合、定期的に、通話相手に送信される静止画像が更新されるので、３Ｄ動画方式の通話が、動画像のフレームレートが低下した状態で継続されているかのように通話相手に見せかけることができる。
【００７１】
なお、静止画像の更新する際にはカメラ２０４および２０５が起動されるので、内部装置から発生するノイズ量が一瞬増加するが、ノイズ量が増加する時間は短いので、通信状態への影響が少なく、通信を切断されにくい状態を維持することができる。
【００７２】
以上説明した各実施形態において、図示した構成は単なる一例であって、本発明はその構成に限定されるものではない。
【００７３】
例えば、各実施形態において、本発明の３Ｄテレビ電話端末は携帯電話端末で実現されていたが、本発明の３Ｄテレビ電話端末は、固定電話端末やＩＰ電話端末などで実現されてもよい。
【符号の説明】
【００７４】
１０１    携帯電話端末
２００    アンテナ
２０１    無線回路
２０２    音声入出力部
２０３    表示部
２０４、２０５    カメラ
２０６    ＣＰＵ
２０７    メモリ
【図１】
0005626883.tif 000002
【図２】
0005626883.tif 000003
【図３】
0005626883.tif 000004
【図４】
0005626883.tif 000005
【図５】
0005626883.tif 000006
【図６】
0005626883.tif 000007
【図７】
0005626883.tif 000008
【図８】
0005626883.tif 000009